(57)【要約】      （修正有）【課題】宅配ボックスのように、宅配物を収容する箱、袋をあらかじめ玄関扉に設置せずに、配達物を受け取るシステムを提供すること。【解決手段】玄関用ドア１と、固定部２Ａと解除部２Ｂと連結部２Ｆとを備える本体２と、配達物を収容する容器３と、を備え、固定部は、玄関用ドアの屋外側に、解除部は、玄関用ドアの屋内側に配置され、固定部は、配達物を収容する容器を固定するようにされ、解除部は、配達物を収容する容器の固定を解除するようにされ、固定部と解除部は、玄関用ドアの隙間を介して連結部により連結される。【選択図】図１
2019217211.tif 000002
【特許請求の範囲】
【請求項１】
配達物を受け取るシステムであって、
玄関用ドアと、
固定部と解除部と連結部とを備える本体と、
配達物を収容する容器と、を備え、
前記固定部は、前記玄関用ドアの屋外側に、前記解除部は、前記玄関用ドアの屋内側に配置され、
前記固定部は、前記配達物を収容する容器を固定するようにされ、
前記解除部は、前記配達物を収容する容器の固定を解除するようにされ、
前記固定部と前記解除部は、前記玄関用ドアの隙間を介して前記連結部により連結される、システム。
【請求項２】
前記固定部は、紐状部材を備え、前記紐状部材により前記配達物を収容する容器を固定するようにされた、請求項１に記載のシステム。
【請求項３】
前記固定部は、複数の前記紐状部材を備える、請求項２に記載のシステム。
【請求項４】
前記固定部は、一対の紐状部材引き出し穴と紐状部材固定穴を備える、請求項２又は３に記載のシステム。
【請求項５】
複数の前記紐状部材にそれぞれ対応する、複数の前記一対の紐状部材引き出し穴と紐状部材固定穴を備える、請求項３に記載のシステム。
【請求項６】
前記解除部は、ボタンを備え、前記ボタンを押下することにより前記紐状部材の固定を解除するようにされた、請求項２〜５のいずれか一項に記載のシステム。
【請求項７】
前記解除部は、複数の前記ボタンを備え、前記複数のボタンは、前記複数の紐状部材にそれぞれ対応し、各々の前記ボタンを押下することにより、対応する各々の前記紐状部材の固定を解除するようにされた、請求項３、請求項３に従属する請求項４、請求項５のいずれか一項に記載のシステム。
【請求項８】
前記紐状部材は前記連結部となる、請求項２〜７のいずれ一項に記載のシステム。
【請求項９】
前記本体は、前記紐状部材を前記紐状部材固定穴に挿入した際に、住人に配達物が届いたことを知らせるメッセージを送信する通信手段を備えた、請求項１〜８のいずれか一項に記載のシステム。
【請求項１０】
前記配達物を収容する容器は、前記紐状部材を通す開口を有する、請求項１〜９のいずれか一項に記載のシステム。
【請求項１１】
前記紐状部材は、ワイヤ、ワイヤロープ、又はロープである、請求項２〜１０のいずれ一項に記載のシステム。
【請求項１２】
物品を固定する装置であって、
固定部と解除部と連結部とを備える本体を備え、
前記固定部は、ドアの室外側に、前記解除部は、ドアの室内側に配置され、
前記固定部は、物品を固定するようにされ、
前記解除部は、物品の固定を解除するようにされ、
前記固定部と前記解除部は、前記ドアの隙間を介して前記連結部により連結される、装置。
【請求項１３】
前記固定部は、紐状部材を備え、前記紐状部材により物品を固定するようにされた、請求項１２に記載の装置。
【請求項１４】
前記固定部は、複数の前記紐状部材を備える、請求項１３に記載の装置。
【請求項１５】
前記固定部は、一対の紐状部材引き出し穴と紐状部材固定穴を備える、請求項１３又は１４に記載の装置。
【請求項１６】
複数の前記紐状部材にそれぞれ対応する、複数の前記一対の紐状部材引き出し穴と紐状部材固定穴を備える、請求項１４に記載の装置。
【請求項１７】
前記解除部は、ボタンを備え、前記ボタンを押下することにより前記紐状部材の固定を解除するようにされた、請求項１３〜１６のいずれか一項に記載のシステム。
【請求項１８】
前記解除部は、複数の前記ボタンを備え、前記複数のボタンは、前記複数の紐状部材にそれぞれ対応し、各々の前記ボタンを押下することにより、対応する各々の前記紐状部材の固定を解除するようにされた、請求項１４、請求項１４に従属する請求項１５、請求項１６のいずれか一項に記載の装置。
【請求項１９】
前記紐状部材は前記連結部となる、請求項１３〜１８のいずれ一項に記載の装置。
【請求項２０】
前記本体は、前記紐状部材を前記紐状部材固定穴に挿入した際に、設置者に、物品が固定されたことを知らせるメッセージを送信する通信手段を備えた、請求項１５〜１９のいずれか一項に記載のシステム。
【請求項２１】
前記紐状部材は、ワイヤ、ワイヤロープ、又はロープである、請求項１３〜２０のいずれ一項に記載のシステム。
【発明の詳細な説明】
【技術分野】
【０００１】
本発明は、玄関先にセットされて、宅配業者の配達物を受け取るシステム、及び物品を固定する装置に関する。
【背景技術】
【０００２】
宅配業者が宅配物を戸建ての住戸、マンション、アパート、団地などの住戸に配達した際に、住民が不在の場合には、不在連絡票を住戸のポストに入れて、宅配物を一旦持ち帰って、再配達しなければならず、宅配業者にとって、時間と労力のロスに繋がり、業績への影響は少なくない。また、住人にとっても、再配達日時の連絡を宅配業者に行わねばならず、タイムリーな受け取りができないという問題があった。
このような問題を解決するために、種々の宅配ボックスの発明がなされている。たとえば、特許文献１は、外出時に簡単にセットでき、また、セット後に破壊されにくい宅配ボックスを開示している。また、特許文献２は、閉止可能な開口を有する、小箱又は小包郵便物を収容可能な収容容器を開示している。
【先行技術文献】
【特許文献】
【０００３】
【特許文献１】特開２０１０−５１７０４
【特許文献２】特表２０１６−５１５４１５
【発明の概要】
【発明が解決しようとする課題】
【０００４】
しかしながら、特許文献１では、宅配ボックスをドアに設置しなければならず、複数の宅配物を収容するためには、複数の宅配ボックスを設置する必要があった。また宅配ボックスの開閉のために、宅配業者と住人とが宅配ボックスを施錠又は開錠するために、同じキーを所有するか、複数の数字を組み合わせることで開錠が可能なナンバーキーの番号を共有する必要があるが、その住人のために、複数の宅配業者にキーや、ナンバーキーの番号を保管させることは現実的ではなかった。特許文献２でも、収容容器の設置が必須である。収容容器の施錠、開錠には通信部、又は制御要素上でメッセージを送信することにより行うことができるが、施錠、開錠のためにメッセージを送る必要があり、煩わしい場合もあった。
【０００５】
したがって、本発明の目的は、配達物を受け取るシステムにおいて、宅配ボックスのように、宅配物を収容する箱、袋をあらかじめ玄関扉に設置せずに、配達物を受け取るシステムを提供することにある。本発明の別の目的は、物品を固定する装置を提供することにある。
【課題を解決するための手段】
【０００６】
本発明の一の観点によれば、配達物を受け取るシステムは、玄関用ドアと、固定部と解除部と連結部とを備える本体と、配達物を収容する容器と、を備え、固定部は、玄関用ドアの屋外側に、解除部は、玄関用ドアの屋内側に配置され、固定部は、配達物を収容する容器を固定するようにされ、解除部は、配達物を収容する容器の固定を解除するようにされ、固定部と解除部は、玄関用ドアの隙間を介して連結部により連結される。これにより、宅配物を収容する箱、袋をあらかじめ玄関用ドアに設置しない配達物を受け取るシステムが提供可能になる。
【０００７】
この配達物を受け取るシステムでは、固定部は、紐状部材を備え、紐状部材により配達物を収容する容器を固定するようにされてもよい。これにより、配達物を収容する容器の盗難を防止することができる。
【０００８】
この配達物を受け取るシステムでは、固定部は、複数の紐状部材を備えてもよい。これにより、複数の配達物を収容する容器の盗難を防止することができると共に、複数の宅配物を受け取ることができる。
【０００９】
この配達物を受け取るシステムでは、固定部は、一対の紐状部材引き出し穴と紐状部材固定穴を備えてもよい。これにより、不使用時は紐状部材が本体に収容され、使用時に紐状部材を引き出して、紐状部材固定穴で固定するため、不使用時には、すっきりと収納でき歩行者等の邪魔になり難い。使用時であっても紐状部材が本体から出ている長さを短く保つことができるため、歩行者等への影響を最小限にできる。
【００１０】
この配達物を受け取るシステムでは、複数の紐状部材にそれぞれ対応する、複数の一対の紐状部材引き出し穴と紐状部材固定穴を備えてもよい。これにより、１本の紐状部材に対して一対の紐状部材引き出し穴と紐状部材固定穴を有するので、複数の紐状部材が絡み合わないようにすることができる。
【００１１】
この配達物を受け取るシステムでは、解除部は、ボタンを備え、ボタンを押下することにより紐状部材の固定を解除するようにされてもよい。これによりドアの屋内側でしか紐状部材の固定を解除できないと共に、簡単に紐状部材の固定を解除することができる。
【００１２】
この配達物を受け取るシステムでは、解除部は、複数のボタンを備え、複数のボタンは、複数の紐状部材にそれぞれ対応し、各々のボタンを押下することにより、対応する各々の紐状部材の固定を解除するようにされてもよい。これにより、紐状部材毎に紐状部材の固定を解除することができる。
【００１３】
この配達物を受け取るシステムでは、紐状部材は連結部となってもよい。これにより、玄関扉への本体の設置がし易くなると共に、本内の保管に場所がいらず、本体の運搬がし易くなる。
【００１４】
この配達物を受け取るシステムでは、本体は、紐状部材を紐状部材固定穴に挿入した際に、住人に配達物が届いたことを知らせるメッセージを送信する通信手段を備えてもよい。これにより、配達物が配達された際に、住人は配達物が自宅に届いたことを知ることができる。
【００１５】
この配達物を受け取るシステムでは、配達物を収容する容器は、紐状部材を通す小開口を有してもよい。これにより、開口に紐状部材を通すだけで、配達物を収容する容器を固定することができる。
【００１６】
この配達物を受け取るシステムでは、紐状部材は、ワイヤ、ワイヤロープ、又はロープであってもよい。これにより、必要な強度に応じて部材を選択することができる。
【００１７】
本発明の他の観点では、物品を固定する装置は、固定部と解除部と連結部とを備える本体を備え、固定部は、ドアの屋外側に、解除部は、ドアの屋内側に配置され、固定部は、物品を固定するようにされ、解除部は、物品の固定を解除するようにされ、固定部と解除部は、ドアの隙間を介して連結部により連結される。これにより、ドアの屋外側で物品を固定可能な装置の提供が可能となる。
【００１８】
この物品を固定する装置では、固定部は、紐状部材を備え、紐状部材により物品を固定するようにされてもよい。これにより、物品の盗難を防止することができる。
【００１９】
この物品を固定する装置では、固定部は、複数の紐状部材を備えてもよい。これにより、複数の物品の盗難を防止することができると共に、複数の物品を安全に固定することができる。
【００２０】
この物品を固定する装置では、固定部は、一対の紐状部材引き出し穴と紐状部材固定穴を備えてもよい。これにより、不使用時は紐状部材が本体に収容され、使用時に紐状部材を引き出して、紐状部材固定穴で固定するため、不使用時には、すっきりと収納でき歩行者等の邪魔になりにくい。使用時であっても紐状部材が本体から出ている長さを短く保つことができるため、歩行者等への影響を最小限にできる。
【００２１】
この物品を固定する装置では、複数の紐状部材にそれぞれ対応する、複数の一対の紐状部材引き出し穴と紐状部材固定穴を備えてもよい。これにより、１本の紐状部材に対して一対の紐状部材引き出し穴と紐状部材固定穴を有するので、複数の紐状部材が絡み合わないようにすることができる。
【００２２】
この物品を固定する装置では、解除部は、ボタンを備え、ボタンを押下することにより紐状部材の固定を解除するようにされてもよい。これによりドアの屋内側でしか紐状部材の固定を解除できないと共に、簡単に紐状部材の固定を解除することができる。
【００２３】
この物品を固定する装置では、解除部は、複数のボタンを備え、複数のボタンは、複数の紐状部材にそれぞれ対応し、各々のボタンを押下することにより、対応する各々の紐状部材の固定を解除するようにされてもよい。これにより、紐状部材毎に紐状部材の固定を解除することができる。
【００２４】
この物品を固定する装置では、紐状部材は連結部となってもよい。これにより、ドアへの本体の設置がし易くなると共に、本内の保管に場所がいらず、本体の運搬がし易くなる。
【００２５】
この物品を固定する装置では、本体は、紐状部材を紐状部材固定穴に挿入した際に、設置者に物品が固定されたことを知らせるメッセージを送信する通信手段を備えてもよい。これにより、物品が固定された際に、設置者はそのことを知ることができる。
【００２６】
この物品を固定する装置では、紐状部材は、ワイヤ、ワイヤロープ、又はロープであってもよい。これにより、必要な強度に応じて部材を選択することができる。
【発明の効果】
【００２７】
本発明によれば、宅配物を収容する箱、袋をあらかじめ玄関用ドアに設置しない配達物受け取りシステムが提供可能になる。また、本発明によれば、ドアの一方の側で物品を固定可能な装置の提供が可能となる。
【００２８】
本発明を用いるさらなる有利性、特徴、及び態様は、非限定的な実例として与えられる以下の本発明の実施例の詳細な説明から明らかになるであろう。
【図面の簡単な説明】
【００２９】
【図１】本発明のシステムの一部透視斜視図である。
【図２】本発明の本体の別の実施形態を玄関用ドアに取り付ける際の図である。
【図３】本発明の本体の別の実施形態を玄関用ドアに取り付ける際の別の図である。
【図４】本発明の宅配物を収容する箱の開口部に部材を取り付けた際の斜視図である。
【図５】本発明の宅配物を収容する容器の正面図である。
【図６】本発明の宅配物を収容する容器の平面図である。
【図７】本発明の宅配物を収容する容器の側面図である。
【図８】本発明の宅配物を収容する容器の側面図の一部拡大図である。
【図９】本発明の宅配物を収容した袋の斜視図である。
【図１０】本発明の宅配物を収容した袋の側面図である。
【図１１】本発明の宅配物を収容した袋の平面図である。
【図１２】本発明の宅配物を収容した袋の背面図である。
【図１３】本発明の宅配物を収容する容器の別の実施形態の概略図である。
【発明を実施するための形態】
【００３０】
図１〜１３を参照して、本発明の配達物を受け取るシステム１００を説明する。同様な構成については同じ番号を付し、同様な説明は省略する。
【００３１】
配達物を受け取るシステム１００は、玄関用ドア１と、固定部２Ａと解除部２Ｂと連結部２Ｆとを備える本体２と、配達物を収容する容器３と、を備え、固定部２Ａは、玄関用ドアの屋外側に、解除部２Ｂは、玄関用ドア１の屋内側に配置されている。さらに、固定部２Ａは、配達物を収容する容器３を固定するようにされている。また、解除部２Ｂは、配達物を収容する容器３の固定を解除するようにされている。固定部２Ａと解除部２Ｂは、玄関用ドア１の隙間１Ａを介して連結部２Ｆにより連結されている。一例として、玄関用ドア１には、郵便物投函口１Ｂ、ドアノブ１Ｃ、及び鍵孔１Ｄがある。玄関用ドア１はドアノブ１Ｃを屋外側に引く（図１のＢ方向）又は屋内側に押す（図１のＡ方向）ことにより、ドアノブ１Ｃのある側とは反対側のドア１の長手方向の端部を軸として、玄関用ドア１を開くことが出来る。隙間１Ａは玄関用ドア１と玄関用ドア１の設置面Ｇとの隙間である。外出等で、住人等が配達物を受け取るシステム１００を使用する際には、まず、玄関用ドア１を、ドアノブ１Ｃを押す又は引いて開けて、本体２の固定部２Ａを屋外側に配置するように、連結部２Ｆを玄関用ドア１とドア１の設置面Ｇとの隙間１Ａにスライドするように挿入してドア１に取り付ける。その後、ドアノブ１Ｃを引く又は押すことにより閉めて、鍵孔１Ｄに鍵を入れて回す又は屋内から鍵のロック（図示せず）を回して玄関用ドア１をロックする。以上で本体２のドア１への取り付けは終了である。配達員が配達物を収容する袋５が入った配達物を収容する容器３を固定部２Ａに固定する。住人等が外出から戻り、又は屋内での休憩等が終わって、玄関用ドア１を開け、解除部２Ｂにより配達物を収容する容器３の固定部２Ａでの固定を解除して、配達物を収容する容器３を屋内に持ち込み、配達物を収容する容器３から、配達物を収容する袋５を取り出して開けることにより、配達物を取り出すことができる。
【００３２】
ここで、配達物を収容する容器３は、ポリエチレンテレフタラート（ＰＥＴ）でできていてもよい。その場合、配達物を収容する容器３は透明で、配達物を収容する袋５が配達物を収容する容器３の外側から視認することができる。もちろん配達物を収容する容器３及び配達物を収容する袋５の材質は、既知の材料から選択することが可能である。また、配達物を収容する容器３は、１片の部材を図１、４〜８で示すように、オーバーラップ部分３Ｂ、３Ｃが出来るように畳んで、なおかつ、オーバーラップ部分３Ｂ、３Ｃ間にはスリット３Ｄが出来るように畳んで作成してもよい。
【００３３】
図１、４〜８では１片の部材を畳んで配達物を収容する容器３を作成しているが、複数の部材で配達物を収容する容器３を作ることも可能である。配達物を収容する容器３は２つの開口部３Ｅ（図７参照）を有し、開口部３Ｅを介して配達物を収容する袋５を挿入してもよい。開口部３Ｅは矩形形状の部材３Ｆ（図４参照）により閉じられていてもよい。その場合、部材３Ｆは、開口部３Ｅの形状に合わせて、円形、正方形、多角形等に自由に変更可能である。
【００３４】
さらに配達物を収容する容器３は、配達物を収容する容器３を固定部２Ａに固定するための小開口３Ａを有してもよい（図５参照）。
配達物を収容する容器３の形状は、図１、４〜８のような箱型でもよいが、図１３で示す袋６のような形状でもよい。その場合には、袋６には、配達物を入れるための開口６Ａ、袋６を閉じる紐６Ｂ、袋６を固定部２Ａに固定するリング形状の部材６Ｃが備わっていてもよい。部材６Ｃは金属、樹脂等、強度のある既知の材料から製作できる。袋６も用途に応じて既知の材料から製作可能である。
【００３５】
配達物を収容する容器３は、配達員により後で回収される又は住人等が配達会社の配達物回収所に持ち込む、再利用できるものでもよいし、１度の使用で廃棄するものでもよい。
【００３６】
配達物を収容する袋５は、フィルム材から出来ており、２枚のフィルムを貼り合わせて、４つの端部のうち３つの端部５Ａは熱融着されている（図９〜図１２参照）。開口部５Ｂから配達物を入れて、その後開口部５Ｂも熱融着をして配達物を収容する袋５を閉じる。１片のフィルムを折り畳んで配達物を収容する袋５を作成することもできる。その場合には、折り畳んだ一端を除いて、まず２つの端部５Ａが熱融着される。開口部５Ｂから配達物を入れて、その後開口部５Ｂも熱融着をして配達物を収容する袋５を閉じる。フィルム材の材質は既知の材料から選択可能であるし、袋５を用途に応じて既知の材料から製作することもできる。
【００３７】
これにより、宅配物を収容する箱、袋をあらかじめ玄関用ドアに設置しない受け取りシステムが提供可能になると共に、住人等は、本体２を簡単に玄関用ドア１に設置するだけで配達物を受け取る準備が可能となる。また、配達者も配達物を一度持ち帰り、再配達をする必要がないため、配達者、住人等の双方にとって大きなメリットがある。
【００３８】
この配達物を受け取るシステムでは、固定部２Ａは、紐状部材４を備え、紐状部材４により配達物を収容する容器３を固定するようにされてもよい。一端が固定部２Ａに固定された紐状部材４を、配達物を収容する容器３に挿入して貫通し、他端を固定部２Ａに固定することにより、配達物を収容する容器３を固定することができる。これにより、配達物を収容する容器の盗難を防止することができる。
【００３９】
この配達物を受け取るシステムでは、固定部２Ａは、複数の紐状部材４を備えてもよい。一端が固定部２Ａに固定された紐状部材４を、配達物を収容する容器３に挿入して貫通し、他端を固定部２Ａに固定することにより、配達物を収容する容器３を固定することができる。複数の配達物があったときでも、１つの紐状部材４を１つの配達物を収容する容器３に、別の紐状部材を別の配達物を収容する容器３に使用するようにすることができる。複数の紐状部材４を１つの配達物を収容する容器３に使用することもできる。これにより、複数の配達物を収容する容器の盗難を防止することができると共に、複数の宅配物を受け取ることができる。
【００４０】
この配達物を受け取るシステムでは、固定部２Ａは、一対の紐状部材引き出し穴２Ｃと紐状部材固定穴２Ｄを備えてもよい。紐状部材引き出し穴２Ｃには、１つ又は複数の紐状部材４が収容されていて、１つ又は複数の紐状部材固定部４Ａを引くことにより、紐状部材４を固定部２Ａから引き出すことが出来るようになっている。紐状部材固定穴２Ｄには、１つ又は複数の紐状部材固定部４Ａを固定する既知の１つ又は複数の固定部材（図示せず）がある。一例では、紐状部材固定部４Ａを固定部材に押し込むと、固定部材が開いて紐状固定部４Ａを収容するが、一旦紐状部材固定部４Ａを収容すると、紐状部材固定部４Ａを引いても固定部材から抜けない構造となっている。これにより、不使用時は紐状部材４が本体２に収容され、使用時に紐状部材４を引き出して、紐状部材固定穴２Ｄで紐状部材固定部４Ａを固定するため、不使用時には、紐状部材４をすっきりと収納でき歩行者等の邪魔になり難い。使用時であっても紐状部材が本体から出ている長さを短く保つことができるため、歩行者等への影響を最小限にできる。
【００４１】
この配達物を受け取るシステムでは、複数の紐状部材４にそれぞれ対応する、複数の一対の紐状部材引き出し穴２Ｃと紐状部材固定穴２Ｄを備えてもよい。図１に示すように、紐状部材引き出し穴２Ｃから、紐状部材固定部４Ａを引いて、紐状部材４を引っ張り出し、紐状部材４を、配達物を収容する容器３に通して、紐状部材固定部４Ａを紐状部材固定穴２Ｄに挿入して固定する。紐状部材固定穴２Ｄには、紐状部材固定部４Ａを固定するための既知の固定部材がある。この固定部材の１例は上述した通りである。これにより、１本の紐状部材４に対して一対の紐状部材引き出し穴２Ｃと紐状部材固定穴２Ｄを有するので、複数の紐状部材が絡み合わないようにすることができる。
【００４２】
この配達物を受け取るシステムでは、解除部２Ｂは、ボタン２Ｅを備え、ボタンを押下することにより紐状部材４の固定を解除するようにされてもよい。ボタン２Ｅを押下することにより、紐状部材固定穴２Ｄの固定部材での紐状部材固定部４Ａの固定が解除され、紐状部材４の固定が解除されるようになっている。このボタン2Ｅは、猫、犬などの動物が誤って触れて作動しないように、既知のロック部（図示せず）を備えていてもよい。このロック部を解除しないと作動しないようにされていてもよいし、ボタン２Ｅ上部に蓋（図示せず）を備えており、蓋を開けないとボタン２Ｅを押せない構造となっていてもよい。ボタンを押下することにより、既知の方法により機械的に紐状部材固定穴２Ｄ内の固定部材の固定を解除してもよいし、電気的に固定を解除してもよい。これにより玄関用ドア１の屋内側でしか紐状部材４の固定を解除できないと共に、簡単に紐状部材４の固定を解除することができる。１つのボタン２Ｅで１つ又は複数の紐状部材４の固定を解除することができる。なお、ボタン２Ｅを押下する代わりに、スマートフォンなどの通信手段により紐状部材固定穴２Ｄ内の固定部材の固定を解除するように固定部２Ａに通信手段を設けてもよい。
【００４３】
この配達物を受け取るシステムでは、解除部２Ｂは、複数のボタン2Ｅを備え、複数のボタン２Ｅは、複数の紐状部材４にそれぞれ対応し、各々のボタン２Ｅを押下することにより、対応する各々の紐状部材４の固定を解除するようにされてもよい。これにより、紐状部材４毎に紐状部材４の固定を解除することができる。
【００４４】
この配達物を受け取るシステムでは、紐状部材４は連結部２Ｆとなってもよい。この場合、紐状部材４は、固定部２Ａと解除部２Ｂを連結する（図２、図３参照）。玄関用ドア１に本体１を設置する際には、図２に示すように、紐状部材４を玄関用ドア１の隙間１Ａを通して、固定部２Ａと解除部２Ｂを矢印Ｃ方向に移動する。解除部２Ｂを玄関用ドア１の屋内側の面に配置した後、固定部２Ａを矢印Ｄ方向に移動して、玄関用ドア１の屋外側の面に設置する。固定部２Ａに固定された紐状部材４の固定を解除する場合には以下の様に行う。まず、紐状部材固定部４Ａを紐状部材固定穴２Ｄに挿入して、紐状部材固定部４Ａを紐状部材固定穴２Ｄ内の固定部材に固定した後に、ボタン２Ｅを押すことにより、紐状部材４を介して紐状部材固定部４Ａに作用して、紐状部材固定部４Ａの形状を変化（縮小）させ、紐状部材固定穴２Ｄ内の固定部材から紐状部材固定部４Ａを取りはずことが可能になる。あるいは、ボタン２Ｅを押下することにより、電気的に紐状部材固定穴２Ｄ内の固定部材による紐状部材固定部４Ａの固定を解除してもよい。これにより、玄関用ドア１への本体２の設置がし易くなると共に、本内２の保管に場所がいらず、本体２の運搬もし易くなる。
【００４５】
この配達物を受け取るシステムでは、本体２は、紐状部材４を紐状部材固定穴２Ｄに挿入した際に、住人に配達物が届いたことを知らせるメッセージを送信する通信手段を備えてもよい。紐状部材４の紐状部材固定部４Ａを紐状部材固定穴２Ｄに挿入することにより、予め登録してあったメールアドレスにメールが届くように、既知の通信手段を備えている。これにより、配達物が配達された際に、住人は配達物が自宅に届いたことを知ることができる。
【００４６】
この配達物を受け取るシステムでは、配達物を収容する容器３は、紐状部材４を通す小開口３Ａを有してもよい。紐状部材４を、紐状部材固定部４Ａを引っ張って紐状部材引き出し穴２Ｃから引き出して、配達物を収容する容器３の小開口３Ａを通して、紐状部材固定４Ａを紐状部材固定穴２Ｄに挿入することにより、紐状部材４が固定され、配達物を収容する容器３を本体２に固定する。これにより、小開口３Ａに紐状部材４を通すだけで、配達物を収容する容器３を本体２に固定することができる。
【００４７】
この配達物を受け取るシステムでは、紐状部材４は、ワイヤ、ワイヤロープ、又はロープであってもよい。これにより、必要な強度に応じて部材を選択することができる。これらの材質は金属、樹脂、強化樹脂等、必要な強度に応じて既知の材質から選択可能である。
【００４８】
上述した配達物を受け取るシステムの本体２を、物品を固定する装置とすることもできる。すなわち、物品を固定する装置は、固定部２Ａと解除部２Ｂと連結部２Ｆとを備える本体２を備え、固定部２Ａは、ドア１の室外側に、解除部２Ｂは、ドア１の室内側に配置され、固定部２Ａは、物品を固定するようにされ、解除部２Ｂは、物品の固定を解除するようにされ、固定部２Ａと解除部２Ｂは、ドアの隙間１Ａを介して連結部２Ｆにより連結される。これにより、ドアの室外側で物品を固定可能な装置の提供が可能となる。
【００４９】
この物品を固定する装置では、固定部２Ａは、紐状部材４を備え、紐状部材４により物品を固定するようにされてもよい。これにより、物品の盗難を防止することができる。
【００５０】
この物品を固定する装置では、固定部２Ａは、複数の紐状部材４を備えてもよい。これにより、複数の物品の盗難を防止することができると共に、複数の物品を安全に固定することができる。
【００５１】
この物品を固定する装置では、複数の紐状部材４にそれぞれ対応する、複数の一対の紐状部材引き出し穴２Ｃと紐状部材固定穴２Ｄを備えてもよい。これにより、１本の紐状部材４に対して一対の紐状部材引き出し穴２Ｃと紐状部材固定穴2Ｄを有するので、複数の紐状部材４が絡み合わないようにすることができる。
【００５２】
この物品を固定する装置では、解除部２Ｂは、ボタン2Ｅを備え、ボタン2Ｅを押下することにより紐状部材４の固定を解除するようにされてもよい。これによりドア１の屋内側でしか紐状部材４の固定を解除できないと共に、簡単に紐状部材４の固定を解除することができる。
【００５３】
この物品を固定する装置では、解除部２Ｂは、複数のボタン2Ｅを備え、複数のボタン2Ｅは、複数の紐状部材４にそれぞれ対応し、各々のボタン２Ｅを押下することにより、対応する各々の紐状部材４の固定を解除するようにされてもよい。これにより、紐状部材４毎に紐状部材４の固定を解除することができる。
【００５４】
この物品を固定する装置では、紐状部材４は連結部２Ｆとなってもよい。これにより、ドア１への本体２の設置がし易くなると共に、本内２の保管に場所がいらず、本体２の運搬がし易くなる。
【００５５】
この物品を固定する装置では、本体２は、紐状部材４を紐状部材固定穴２Ｄに挿入した際に、設置者に物品が固定されたことを知らせるメッセージを送信する通信手段を備えてもよい。これにより、物品が固定された際に、設置者はそのことを知ることができる。
【００５６】
この物品を固定する装置では、紐状部材４は、ワイヤ、ワイヤロープ、又はロープであってもよい。これにより、必要な強度に応じて部材を選択することができる。
【００５７】
以上、図面を参照して、本発明の実施例を詳述してきたが、具体的な構成は、この実施例に限らず、本発明の要旨を逸脱しない程度の設計的変更は、本発明に含まれる。
【符号の説明】
【００５８】
１  玄関用ドア、ドア
１Ａ  玄関用ドアの隙間
１Ｂ  郵便物投函口
1Ｃ  ドアノブ
1Ｄ  鍵穴
２  本体
２Ａ  固定部
２Ｂ  解除部
２Ｃ  紐状部材引き出し穴
２Ｄ  紐状部材固定穴
２Ｅ  ボタン
２Ｆ  連結部
３  配達物を収容する容器
３Ａ  小開口
３Ｂ  オーバーラップ部分
３Ｃ  オーバーラップ部分
３Ｄ  スリット
３Ｅ  開口部
３Ｆ  部材
４  紐状部材
４Ａ  紐状部材固定部
５  配達物を収容する袋
５Ａ  端部
５Ｂ  開口部
６  袋
６Ａ  開口
６Ｂ  紐
６Ｃ  リング形状の部材
１００  配達物を受け取るシステム
【図１】
2019217211.tif 000003
【図２】
2019217211.tif 000004
【図３】
2019217211.tif 000005
【図４】
2019217211.tif 000006
【図５】
2019217211.tif 000007
【図６】
2019217211.tif 000008
【図７】
2019217211.tif 000009
【図８】
2019217211.tif 000010
【図９】
2019217211.tif 000011
【図１０】
2019217211.tif 000012
【図１１】
2019217211.tif 000013
【図１２】
2019217211.tif 000014
【図１３】
2019217211.tif 000015